(57)【特許請求の範囲】
【請求項１】
盤内部に取り付けられ、内部及び外部からの信号線が接続される防災監視制御盤の回線ユニットに於いて、
盤内部の取付位置に載置される基台部、該基台部に対し少なくとも上方及び前方に開口し側面枠壁及び後部枠壁を備えた枠壁、前記両側の側面枠壁の上方に門形に形成したカバー支持部、及び前記側面枠壁の内側に形成され前記プリント基板の周縁を支持する基板支持部とで構成されるユニット本体を有し、
前記ユニット本体を２個一対として前方の枠壁開口部を向い合わせた状態で組合わせ配置し、各ユニット本体の基板支持部で、外部からの信号線を接続する端子部を実装したプリント基板を前記基台部と略平行に支持してユニット内に収納したことを特徴とする防災監視制御盤の回線ユニット。
【請求項２】
請求項１記載の防災監視制御盤の回線ユニットに於いて、前記ユニット本体の基板支持部は、前記側面枠壁の内側の後部枠壁に近い位置に階段状に少くとも２段の基板挿入部を形成すると共に、前記側面枠壁の内側の前方開口側に近い位置に少なくとも２段に基板受け部を形成し、前記ユニット本体を２個一対として組み合わせた状態で、下段に２つのユニット本体の収納間隔で決まるフルサイズのプリント基板を収納すると共に、上段に各ユニット本体単体に対応したハーフサイズのプリント基板を各々収納したことを特徴とする防災監視制御盤の回線ユニット。
【請求項３】
請求項２記載の防災監視制御盤の回線ユニットに於いて、前記ユニット本体を２個一対として組み合わせた状態で複数のプリント基板を多段に収納した場合、各プリント基板に実装されている端子部が外部に向けて下り階段状に配置されることを特徴とする防災監視制御盤の回線ユニット。
【請求項４】
請求項２記載の防災監視制御盤の回線ユニットに於いて、前記ユニット本体の前方開口側に近い上段位置に配置される基板受け部は、上部内側に切欠き段部を形成し、段部を中心位置としてピン穴を開口し、前記切欠き段部に嵌合するハーフサイズのプリント基板の端部にピン穴に対応した半穴を形成し、切欠き段部の段付きピン穴にプリント基板の半穴を位置合せした状態でロックピンを挿入して支持することを特徴とする防災監視制御盤の回線ユニット。
【請求項５】
請求項１記載の防災監視制御盤の回線ユニットに於いて、前記ユニット本体の基台部先端の突き合せ部分に、相手先の基台部先端の上面と下面に嵌合する係合片を交互に延在したことを特徴とする防災監視制御盤の回線ユニット。
【請求項６】
請求項１記載の防災監視制御盤の回線ユニットに於いて、前記ユニット本体の突き合せ部分の基台部から枠壁に至るコーナ部に、嵌合状態の切り外しに使用する間隙を形成したことを防災監視制御盤の回線ユニット。
【請求項７】
請求項１乃至６のいずれかに記載の防災監視制御盤の回線ユニットに於いて、前記ユニット本体単体で１又は複数のハーフサイズのプリント基板を収納支持することを特徴とする防災監視制御盤の回線ユニット。
【請求項８】
請求項７記載の防災監視制御盤の回線ユニットに於いて、前記ユニット本体の前方開口側に近い下段位置に配置される基板受け部は、前記基台部に起立する支持片でプリント基板の下側を支持した状態で、前記基台部のピン穴に支持ピンを挿入してハーフサイズのプリント基板の開放側を支持することを特徴とする防災監視制御盤の回線ユニット。
【発明の詳細な説明】
【０００１】
【発明の属する技術分野】
本発明は、火災、ガス漏れ等の異常監視と機器の制御に使用する回線接続のために盤内に取り付けられる防災監視制御盤の回線ユニットに関する。
【０００２】
【従来の技術】
従来、Ｐ型として知られた回線単位で火災を監視して制御する防災監視制御盤にあっては、火災感知器を接続する感知器回線や地区音響装置等の機器を接続する制御回線等の外線を接続すると共に、盤内の操作部や表示部等と接続する内線を接続する回線ユニットを盤内に取り付けており、この回線ユニットの構造としては、例えば図２１，２２のものがある（実公昭６４−２２３７号）。
【０００３】
図２１において、回線ユニットは、一対の端子盤１１０をプリント基板１５０の対向する両端部に設け、図２２のように、端子金具１２０の脚部１２０ａをプリント基板１５０に下ろして直接ハンダ付けして電気接続している。
【０００４】
この回線ユニットは盤内部に数ユニット取付けられその状態で、外線１６０を端子盤１１０の端子部に接続し、内線１７０をプリント基板１５０にコネクタ接続する。
【０００５】
図２３，２４は他の回線ユニットの例であり（特公昭６４−２２３８号）、端子部２１１と基台部２１６からなる端子盤２１０を２個一対として対向して設け、その間に複数のプリント基板２２０ａ，２２０ｂを所定の間隔で重ねて取り付ける。端子部２１１には端子用プリント基板２１４が設けられる。
【０００６】
端子部２１１と端子用プリント基板２１４の間は、図２４のように、端子部２１１からの端子金具２１３の脚部をプリント基板２１４にハンダ付けしている。また端子用プリント基板２１４とプリント基板２２０ａの間は、コネクタケーブル２２１でコネクタ接続している。また、プリント基板２２０ａ，２２０ｂ間は、コネクタケーブル２３０でコネクタ接続している。
【０００７】
【発明が解決しようとする課題】
しかしながら、このような従来の回線ユニットにあっては次のような問題がある。まず図２１，２２に示す回線ユニットにあっては、複数の端子金具１２０をプリント基板１５０に挿入してハンダ付けにより接続しなければならいなため、回線ユニットの製造組立ての作業が煩雑になり、またハンダ付けはプリント基板１５０が端子盤１１０の内部に入った位置で行っているため、自動化も困難であり、コストアップの要因となっている。
【０００８】
また図２３，２４に示す回線ユニットにあっては、端子用プリント基板２１４に端子部２１１の端子金具２１３をハンダ付けで接続して半製品を作っておき、その後、端子部２１１を基台部２１６に固定してプリント基板２２０ａとコネクタ接続し、更にその後プリント基板２２０ａ，２２０ｂ間をコネクタ接続する必要があり、ハンダ付けで半製品を作る分、製造組立ての作業が煩雑になり、またハンダ付けの自動化も構造的に困難であり、同様にコストアップの要因となっている。
【０００９】
更に、いずれの回線ユニットにあっても、プリント基板の両端を端子盤１１０，２１０で押さえるだけの構造であるため、盤内に対する回線ユニットの取付け作業の際に、プリント基板に応力が負荷として加わり、プリント基板の変形でハンダ付け剥離等の破損を起こし易い。
【００１０】
更にまた、盤内に回線ユニットを取付けた状態で、設備の増設等に伴い後からプリント基板を追加することができない。
【００１１】
本発明は、取付け時に回路基板に負荷がかからず、回路基板の増設や取外しが簡単にでき、更に回路基板側の部品実装とハンダ付けの自動化が容易にでき、更にサイズの異なる回路基板を必要に応じて収納できる防災監視制御盤の回線ユニットを提供することを目的とする。
【００１２】
【課題を解決するための手段】
この目的を達成するため本発明は次のように構成する。
【００１３】
本発明は、盤内部に取り付けられ、内部及び外部からの信号線が接続される防災監視制御盤の回線ユニットであり、次のようなユニット本体を備える。即ち、ユニット本体は、盤内部の取付位置に載置される基台部、基台部に対し少なくとも上方及び前方に開口し側面枠壁及び後部枠壁を備えた枠壁、両側の側面枠壁の上方に門形に形成したカバー支持部、及び側面枠壁の内側に形成されプリント基板の周縁を支持する基板支持部とで構成される。
【００１４】
本発明は、このような構成のユニット本体を２個一対として前方の枠壁開口部を向い合せた状態で組合わせ配置し、各ユニット本体の基板支持部で、外部信号線を接続する端子部を実装したプリント基板を基台部と略平行に支持し、ユニット内に収納する。ここでユニット本体を２個一対としたものをフルタイプという。
【００１５】
このように本発明の回線ユニットにあっては、ユニット本体を回路基板から完全に独立させて電気的な接続を一切不能な収納体としてのみ構成し、これによってユニット本体と回路基板との電気接続のためのハンダ付けやコネクタ接続を不要とし、回路基板には全ての電気部品が実装されるので自動化が容易となり、回線ユニットの組立て作業を簡単にしてコントダウンできる。
【００１６】
また回線ユニットは２個のユニット本体を突き合わせた嵌合状態で１つの箱枠として形成されるため、回線ユニットの取付け作業の際に本体ユニットに収納している回路基板に応力が加わることはなく、回路基板に加わる応力負荷による破損等を確実に防止できる。
【００１７】
また２個のユニット本体を突き合わせた嵌合状態で、基台部から見て前後及び上方に大きく開いているため、ユニットに対する回路基板の着脱が回線ユニットを盤内に取り付けた後であっても容易にできる。
【００１８】
ここでユニット本体の基板支持部は、回路基板を複数収納できる多段支持構造、例えば２段支持構造を備える。即ち、側面枠壁の内側の後部枠壁に近い位置に階段状に２段の基板挿入部を形成すると共に、側面枠壁の内側の前方開口側に近い位置に２段に基板受け部を形成し、ユニット本体を２個一対として組み合わせたフルタイプの状態で、下段に２つのユニット本体の収納間隔で決まるフルサイズのプリント基板を収納すると共に、上段に各ユニット本体単体に対応したハーフサイズのプリント基板を各々収納する。
【００１９】
このためフルタイプの回線ユニットにあっては、ユニット内部の下段に収納されたフルサイズの回路基板は、側面の四隅に近い位置で基板挿入部への挿入で支持される。上段に位置するハーフサイズの回路基板は、各ユニットにおいて４点で支持される。この上段に収納するハーフサイズの回路基板は、下段のフルサイズの回路基板とは異なり、盤内部に回線ユニットを取付け固定した状態で着脱ができ、このため増設用の回路基板として利用できる。
【００２０】
ユニット本体を２個一対として組合せてフルタイプとした状態で複数のプリント基板を収納した場合、各プリント基板に実装されている端子部は外部に向けて下り階段状に配置される。このように回路基板に実装している端子部が階段配置されることで、端子部に対する信号線の着脱が容易にできる。
【００２１】
ユニット本体の基板支持部に設けた前方開口側に近い上段位置に配置される基板受け部は、上部に切欠き段部を形成し、段部を中心位置としてピン穴を開口し、切欠き段部に嵌合するハーフサイズのプリント基板の端部にピン穴に対応した半穴を形成し、切欠き段部の段付きピン穴にプリント基板の半穴を位置合せした状態でロックピンを挿入して支持する。このようなロックピンと段付きピン穴を用いた回路基板の支持構造により、ロックピンを外すことで簡単にユニット本体を取り外し、または装着できる。
【００２２】
ユニット本体の基台部先端の突き合せ部分に、相手先の基台部先端の上面と下面に係合する係合片を交互に延在する。これによって２個のユニット本体を容易に組み合わせられると共に組み合わせた際に比較的堅牢な組合せ状態が得られ、ユニット本体の片側を持っても分解してしまうようなことはない。
【００２３】
ユニット本体の突き合せ部分の基台部から枠壁に至るコーナ部に、嵌合状態の切り外しに使用する間隙を形成する。組立て状態にある２個のユニット本体を分解したい場合には、この間隙に百円硬貨など入れてこじることで簡単に分解できる。
【００２４】
本発明の回線ユニットは、ユニット本体単体で１又は複数のプリント基板を収納支持して使用することができ、これをハーフタイプの回線ユニットという。ハーフタイプのユニット本体は、前方開口側に近い下段位置に配置される基板受け部として、基台部に起立する支持片でプリント基板の下側を支持した状態で、基台部のピン穴に支持ピンを挿入してハーフサイズのプリント基板の開放側を支持する。これによって、ハーフタイプであっても、上段および下段の各々に回路基板を４点で支持して収納できる。
【００２５】
【発明の実施の形態】
図１は、本発明の回線ユニットが使用される防災監視制御盤の正面から見た説明図である。図１において、防災監視制御盤１は盤本体と盤本体の前面に開閉自在に設けられた図示の扉１ａで構成され、扉１ａには地区表示パネル１ｂ、操作表示パネル１ｃが設けられ、操作表示パネル１ｃの右側には、右側を軸として横方向に開閉自在な子扉１ｄが設けられ、子扉１ｄの内側には保守点検用の操作表示部が設けられている。
【００２６】
図２は図１の防災監視制御盤のブロック図である。図２において、防災監視制御盤１にはメインＣＰＵ２が設けられ、そのプログラム制御により受信制御部２ａとしての機能が実現される。メインＣＰＵ２に対しては回線ユニット３ａ，３ｂが設けられる。回線ユニット３ａからは火報用の感知器回線４ａが引き出され、火災感知器を接続している。また回線ユニット３ａからは制御回線５ａが引き出され、地区音響装置７を接続している。
【００２７】
回線ユニット３ｂからは防排煙用の感知器回線４ｂが引き出され、防排煙用の火災感知器６ｂを接続している。また回線ユニット３ｂからは制御回線５ｂが引き出され、防排煙機器８を接続している。回線ユニット３ａ，３ｂは複数設けられ、外部に引き出し可能な回線数は例えば最大５００回線となる。この最大５００回線の感知器回線に対し、制御回線も最大５００回線引き出すことができる。１つの回線ユニットは、例えば感知器回線及び制御回線をそれぞれ１０回線単位で引き出し可能としている。
【００２８】
メインＣＰＵ２に対しては更に、操作部１０、表示部１１、主音響装置１２、地区表示部１３ａ，１３ｂ，移報出力部１５が設けられる。地区表示部１３ａ，１３ｂは回線ユニット３ａ，３ｂに対応しており、図１に示したように地区表示パネル１ｂに１パネル当たり１０回線単位で回線表示を行っている。尚、図１の地区表示パネル１ｂは１０回線単位に１３パネル設けていることから、１３０回線の地区表示ができ、これを超える地区表示については例えば地区表示パネルを有する副受信盤（連盤）にて表示するようになる。
【００２９】
またメインＣＰＵ２に対してはワークメモリとして動作するＳＲＡＭ１６がＣＰＵバス１７により接続される。ＣＰＵバスにはコネクタ１８が設けられ、コネクタ１８にフラッシュメモリを不揮発メモリとして内蔵したメモリパック（ＲＯＭパック）２０を接続している。
【００３０】
メモリパック２０のフラッシュメモリ１９には、防災監視制御盤１の監視制御に必要な回線数や回線種別等の基本データと、感知器回線に対し地区音響装置７や防排煙機器８を連動制御するための連動データが予め登録されており、電源投入時にフラッシュメモリ１９からＳＲＡＭ１６に展開され、メインＣＰＵ２の受信制御部２ａによる監視制御に使用される。
【００３１】
ここで防災監視制御盤１に設けている回線ユニット３ａ，３ｂ、地区表示部１３ａ，１３ｂ及び移報出力部１５には、１チップ構成のＣＰＵ（ローカルＣＰＵ）がそれぞれ設けられており、メインＣＰＵ２との間でシリアル通信によりデータのやり取りを行っている。
【００３２】
メインＣＰＵ２のプログラム制御により実現された受信制御部２ａは、回線ユニット３ａ，３ｂのローカルＣＰＵからシリアル通信により送られてくる回線発報データを監視し、火災等の異常を判断した場合に表示部１１で火災代表表示を行い、また主音響装置１２により代表火災警報を出し、更に地区表示部１３ａ，１３ｂに対し発報回線の地区表示を行わせ、更に必要があれば移報出力部１５に移報出力指示を行って外部機器へ移報信号を出力させる。
【００３３】
また受信制御部２ａは、例えば火報用の感知器回線４ａの発報を判断した場合には、フラッシュメモリからＳＲＡＭ１６に展開された連動データに基づき、発報回線を連動元としこれに対応する連動先の制御回線を判断し、例えば制御回線５ａに接続している地区音響装置７を作動させる。
【００３４】
図３は、図１の防災監視制御盤の扉１ａを開いた状態の盤本体内部の本発明による回線ユニットの取付けの説明図である。図３において、防災監視制御盤１の盤本体２２の内部には、本発明による回線ユニット２４が例えば横３列に所定段数、縦方向に取り付けられている。
【００３５】
このように盤本体２２に取り付けられた回線ユニット２４に対しては、図２に示したように、感知器回線４ａ，４ｂや制御回線５ａ，５ｂの外部からの信号線（外線）接続、及び内部に設けているメインＣＰＵ２との間のシリアル通信のための信号線（内線）接続が行われる。尚、図３は、回線ユニット２４に対する信号線の接続は省略している。
【００３６】
図４は、図３の盤２２内に取り付けた回線ユニット２４に対する防塵カバーの取付けの説明図である。図４において、盤２２内に取り付けられた回線ユニット２４をそのままにしておくと埃等がユニット内に付着することから、右側に取り出して示すようにエンドカバー２６、ユニットカバー２８、ユニット間カバー３０の３種類の防塵カバーを使用して、右側の回線ユニット２４の縦方向の１列について示すようにカバーを装着し、埃の装着を防ぐ。
【００３７】
即ち、エンドカバー２６は、係合片２６ａにより一番上及び一番下に位置する回線ユニット２４の端部に装着される。ユニットカバー２８は、係合片２８ａにより各回線ユニット２４の中央に装着される。ユニット間カバー３０は、係合片３０ａにより上下に隣接する回線ユニット２４の間に装着される。
【００３８】
このため装置完成状態にあっては盤２２内の回線ユニット２４は、エンドカバー２６、ユニットカバー２８、ユニット間カバー３０の３種類のカバーで前面が覆われた状態となっている。各カバーの回線ユニット２４への装着の詳細は後述する。
【００３９】
図５，図６，図７は、本発明の回線ユニット２４の１つを取り出した側面方向の内部構造を示している。図５，図６，図７において、本発明の回線ユニット２４は、２つのユニット本体３２を一対として突き合わせて組み合わせることにより構成されている。このように２つのユニット本体３２を一対として突き合わせて組み合わせた回線ユニット２４をフルタイプと呼ぶ。
【００４０】
２つのユニット本体３２を組み合わせて回線ユニット２４を構成したフルタイプに対し、後の説明で明らかにするように、本発明の回線ユニットとしてはユニット本体３２単体で回線ユニットを構成することができ、ユニット本体３２単体の回線ユニットをハーフタイプと呼ぶ。
【００４１】
図５の回線ユニット２４はフルタイプの標準仕様であり、２つのユニット本体３２を組み合わせて構成した回線ユニット２４の下段にフルサイズのプリント基板３４を収納している。プリント基板３４の両端には外線接続用の端子部３６が実装されている。この端子部３６は信号線の芯線を差込み固定できるビス等を使用しないワンタッチタイプの端子接続構造を備えている。また、プリント基板３４の中央側には、内線接続用のコネクタ（図示せず）が実装されている。
【００４２】
図６は、図５のフルタイプの回線ユニット２４に対しユニット本体３２のそれぞれについて上段にハーフサイズのプリント基板を増設したものである。即ち図６のフルタイプの回線ユニット２４にあっては、下段のフルサイズのプリント基板３４に加え、その上にそれぞれハーフサイズのプリント基板３８を増設している。この２つのユニット本体３２の上段に設けられたプリント基板３８も、外側に端子部３６が実装されている。
【００４３】
図７は、図５のフルタイプの回線ユニット２４について、左側のユニット本体３２の上段にハーフサイズプリント基板３８を増設したものである。
【００４４】
このようにフルタイプの回線ユニット２４にあっては、図５のフルサイズのプリント基板３４を下段に１枚収納した標準型から、図６，図７のように必要に応じて２つのユニット本体３２の一方または両方の上段にハーフサイズのプリント基板３８を増設することができる。
【００４５】
図８は、図５の標準仕様となるフルタイプの回線ユニット２４の斜視図である。図８において、２つのユニット本体３２は突き合せ位置に対し対称な構造を備えている。そこで、左側に位置するユニット本体３２について構造を説明する。
【００４６】
ユニット本体３２のプリント基板３４の下側となる基台部の周囲には、両側に側面枠壁４２が樹立され、端部側に後部枠壁４４が形成され、他のユニット本体３２及び上方に開放した箱枠形状としている。側面枠壁４２の端部側は下方に下がるテーパ縁４６となっており、テーパ縁４６の上部側に門形の形状を有するカバー支持部４８を形成している。
【００４７】
後部枠壁４４からは外側に、盤本体にビス止めするための取付部４５が張り出されている。また側面枠壁４２のテーパ縁４６の内側には基板挿入部５２が設けられ、この実施形態にあっては、図示の基板挿入部５２の下段にプリント基板３４を支持する基板挿入部が設けられており、２段に基板挿入部５２を設けている。
【００４８】
また側面枠壁４２のカバー支持部４８の先の上段には、内側に張り出した基板受け台５４が形成されている。この基板受け台５４には、右側のユニット本体３２から明らかなように、上部の受け面内側に切り欠いた段部が形成され、この段部を中心としてピン穴が開口され、これによって段付穴５５を形成している。
【００４９】
このため、ユニット本体３２の上段については、両側の側面枠壁４２に設けた２つの基板挿入部５２と基板受け台５４の４点でハーフサイズのプリント基板を支持することができる。
【００５０】
次に図４に示した防塵カバーの取付構造を説明する。エンドカバー２６は、一端側に設けられる一対の係合片２６ａを、カバー支持部４８の外側に設けられる一対のカバー係合溝５０にはめ入れ、他端側を端子部３６の内側にはめ入れる。ユニットカバー２８は、両端側に設けられる一対の係合片２８ａを、カバー支持部４８の内側に設けられる張出片５６の基部に設けられる係合溝５７にはめ入れる。係合溝５７により位置合わせされ、張出片５６により支持される。
【００５１】
更に、ユニット間カバー３０は、両端側に設けられる一対の係合片３０ａを、カバー支持部４８の上部端側に設けられる突起部５８の係合溝５８ａにはめ入れる。係合溝５８ａは、カバー支持部４８の外側及び側部に対して開口している。
【００５２】
図９は、図８の標準仕様のフルタイプの回線ユニット２４の組立分解図である。この組立分解図において、左右に分離されたユニット本体３２の両側の側面枠壁４２の内側にはテーパ縁４６に沿って基板挿入部５２が上下２段に形成されている。この基板挿入部５２は、上部前方に開口側に開いたガイド片５２ａを位置し、後部に受け片５２ｂを配置している。
【００５３】
またユニット本体３２の側面枠壁４２及び後部枠壁４４で囲まれ且つカバー支持部４８の前方側の底部は基台部４０となっており、基台部４０の前方の他のユニット本体３２との突き合せ部分に、右側のユニット本体３２から明らかなように基台部４０の上面から延在した係合片６０と基台部４０の下面から延在した係合片６２を一対ずつ交互に設けている。
【００５４】
またプリント基板３４はユニット本体３２のテーパ縁４６に沿って位置する端部に外線接続用の端子部３６を実装しており、この標準仕様にあっては、ユニット本体３２の側面枠壁４２の下部に設けている基板挿入部５２及び基台部４０と側面枠壁４２の内側に起立して形成されている支持片５９により支持される。この下部に位置するプリント基板３４は、フルタイプの２つのユニット本体３２によって支持されることから、基板挿入部５２の４点、支持片５９の４点、計８点で支持されることになる。  プリント基板３４の中央側を支持片５９で支持していることから、プリント基板３４の中央側に実装されているコネクタへの内線のコネクタ接続の際に上方からのプリント基板３４への応力負荷が加わることがない。
【００５５】
さらに、基台部４０の支持片５９の近傍には、ピン穴８０が左右に設けられる。ピン穴８０は、下段にハーフサイズのプリント基板を収納する際に支持ピンが挿入され、下段の基板挿入部５２及び支持片５９と合わせて６点でハーフサイズのプリント基板を支持できるようにしている。
【００５６】
図１０は、本発明によるフルタイプの回線ユニット２４の組立分解図をプリント基板を除いた状態で表わしている。この組立分解図から明らかなように、２つのユニット本体３２の基台部４０の先端突き合せ側に設けられた係合片６０，６２は相対する相手方と上下に対向するように配置されており、２つのユニット本体３２を突き合わせることで、係合片６０と６２による係合で４箇所で支持されることになる。
【００５７】
図１１は、図１０の係合片６０，６２の部分を取り出して示している。図１１（Ａ）はその平面図であり、Ｘ−Ｘ断面を図１１（Ｂ）に示す。この図１１（Ｂ）の断面から明らかなように、上部側に設けられた係合片６０の先端下部には丸形の突起６０ａが設けられ、後部の基台部４０の先端位置には受け穴６０ｂを設けている。
【００５８】
同様に左側の係合片６２についても先端上部に丸い突起６２ａを形成し後部の基台部４０側に受け穴６２ｂを設けている。このため、両者を突き合わせると係合片６０，６２の突起６０ａと受け穴６２ｂが嵌合し、同時に突起６２ａと受け穴６０ｂが嵌合する。
【００５９】
このような２つのユニット本体３２の突き合せによる嵌合構造によれば、４組の係合片６０，６２による係合支持によって２つのユニット本体３２は十分な剛性をもって回線ユニット２４としての組立形状を保持することができる。
【００６０】
図１２は、２つのユニット本体３２を突き合わせて組み立てた状態で分解するための構造を表わしている。２つの組み立てたユニット本体３２を分解するため、両者を突き合わせたＡ部に分解のための間隙を設けている。
【００６１】
図１３は、図１２のＡ部の拡大図である。この突き合せ部分、即ち基台部４０と側面枠壁４２のコーナ部分の一方には、分解用間隙６６が窪み形成されている。このため、図１２のように組み合わされたユニット本体３２を分解する際には、図１３における分解用間隙６６に例えば１００円硬貨６８を入れてこじることで係合片６０，６２の嵌合を外し両者を容易に分解することができる。尚、２つの組み立てたユニット本体３２を両手で持ち、外側に引張ることでも、係合片６０，６２の嵌合を外し両者を分解することができる。
【００６２】
図１４は、図７に示したフルタイプの回線ユニット２４において、プリント基板３４に加え片側のユニット本体３２に基板プリント３８を増設した場合の斜視図である。
【００６３】
図１４において、２つのユニット本体３２の突き合せによる下段のフルサイズのプリント基板３４の収納状態は図８の標準仕様のフルタイプと同じであるが、この実施形態にあっては更に右側のユニット本体３２の上段にハーフサイズのプリント基板３８を増設している。
【００６４】
プリント基板３８のユニット本体３２に対する装着は、端子部３６を実装したプリント基板３８をカバー支持部４８の上部開口から入れて、側面枠壁内側の上部に設けている基板挿入部５２に差し込み、基台受け部５４に載せ、その段付穴５５にロックピン６４を差し込んで固定する。尚、プリント基板３８，３４を、コネクタ接続する場合がある。
【００６５】
このため回線ユニット２４が図３のように盤内部に取付けられた状態であっても、回線ユニット２４を取外したり、分解したりすることなく、ハーフサイズのプリント基板３８の増設が容易にできる。
【００６６】
図１５は、図１４の一方のユニット本体３２にプリント基板３８を増設した場合の組立分解図である。右側のユニット本体３２の上段に増設されるプリント基板３８は、端部側に端子部３６を実装すると共に、下段に位置するプリント基板３４とコネクタ接続するための雄コネクタ７２を下面に実装している。
【００６７】
このプリント基板３８の雄コネクタ７２に対応して、下段に位置するプリント基板３４上には雌コネクタ７０が実装されている。このため右側のユニット本体３２に対する増設用のプリント基板３８の装着は、プリント基板３８を上部から下ろして側面枠壁４２の内側に形成している上部の基板挿入部５２に差し込み、更に基板受け部５４の段付穴５５の部分に載せる。
【００６８】
このユニット本体３２の基板受け部５４の段付穴５５に対応して、増設するプリント基板３８の側面には半穴７５が形成されている。このため、プリント基板３８をユニット本体３２に装着して段付穴５５に半穴７５を合わせると、内側に位置するプリント基板３８の半穴７５は基板受け部５４の内側を切り欠いた段付穴５５を埋めてフラットなピン穴を形成し、ここにロックピン６４を差し込んでロックする。
【００６９】
プリント基板３８をユニット本体３２に装着する際には、下段に位置するプリント基板３４の雌コネクタ７０に、下側に実装している雄コネクタ７２を差し込んでコネクタ接続する。
【００７０】
ここでユニット本体３２の内部に対向して設けた基板挿入部５２の組立時の間隔で決まるプリント基板の収納サイズは、下段に収納するプリント基板３４に対しある程度余裕をもって大きめに間隔を設定しており、従ってプリント基板３４は収納状態で前後にある程度動かすことができる。
【００７１】
このため、増設したプリント基板３８を雄コネクタ７２で雌コネクタ７０にコネクタ接続することで両者の位置関係が決まっても、ユニット本体３２側での支持にはある程度のずれが許容できるため、コネクタ接続による２枚のプリント基板の組立精度の影響を殆ど受けることなく十分な余裕をもって回線ユニット内にプリント基板３４及び３８を収納することができる。尚、プリント基板３８とプリント基板３４を接続しない場合もあり、この場合、プリント基板へコネクタが実装されない場合もある。
【００７２】
図１６，図１７及び図１８は、図５，図６，図７のフルタイプの回線ユニット２４で使用している２つのユニット本体３２を単体として使用したハーフタイプの回線ユニット２４ａの説明図である。
【００７３】
このハーフタイプの回線ユニット２４ａは、図１６が標準仕様であり、ユニット本体３２単体に収まるサイズのプリント基板７４いわゆるハーフタイプのプリント基板７４を下段に収納している。
【００７４】
図１７は、図１６の標準仕様に対しプリント基板７６を上段に増設した場合である。更に図１８は、標準仕様のプリント基板７４を設けず、増設のプリント基板７６のみを上段に設けている。
【００７５】
図１９は、図１６のハーフタイプの回線ユニット２４ａの斜視図である。図１９において、ユニット本体３２の構造は図５〜図７について示したフルタイプに使用している２つのユニット本体３２と同じであるが、ハーフタイプのプリント基板７４を下段に支持するため、破線のように支持ピン７８を基台部４０に予め設けたピン穴８０に装着し、これによって下部のプリント基板３８を下段の基板挿入部５２及び支持片５９と合わせて６点で支持している。
【００７６】
図２０は、図１８のハーフタイプにおいて増設用のプリント基板７６のみを上段に収納した場合の斜視図である。この場合にも、ユニット本体３２の上段に増設用のプリント基板７６を収納し、側面枠壁内側の２つの基板挿入部５２と手前に位置する２つの基板受け部５４に対するロックピン６４の挿入の４点で支持している。
【００７７】
ここで図５〜図７に示したフルタイプの回線ユニット２４、及び図１６〜図１８に示したハーフタイプの２４ａについて、防災監視制御盤の盤本体内に取り付けた際の特徴を説明すると次のようになる。
【００７８】
まず回線ユニット２４，２４ａにおけるユニット本体３２側には電気接続のための電気部品が全く実装されておらず、端子部３６、コネクタを含めた電気部品はプリント基板３４側に実装しているためユニット本体側３２とプリント基板３４を全く独立に製造することができ、このためプリント基板３４の部品実装やハンダ付けの自動化が容易にできる。
【００７９】
またフルタイプの回線ユニット２４にあっては、２つのユニット本体の組み合せにより十分な剛性をもった箱枠を形成し、その中にプリント基板を収納しており、このため盤本体に取り付ける際に、組み合わせたユニット本体３２に応力負荷は加わるが内部に収納したプリント基板に応力負荷が加わらず、組立時の応力負荷による基板の変形でハンダ付けの剥離や部品の損傷等を確実に防止できる。この点はユニット本体３２単体のハーフタイプについても同じである。
【００８０】
また下段にフルサイズのプリント基板１枚を実装した標準仕様の回線ユニット２４を盤本体に取り付けた状態であっても、後から上段にハーフサイズのプリント基板を増設する場合に、回線ユニットを盤本体から取り外したり分解することなく、埃よけのために設けているカバーを外すだけで増設用のプリント基板を回線ユニットに容易に装着することができる。
【００８１】
このような盤本体内での取り付け状態のままでの回線ユニット２４に対するプリント基板の着脱は、本発明で使用するユニット本体３２を上方及び前方に大きく開口した箱枠形状とすることで容易に実現できる。
【００８２】
更に、ユニット本体３２に収納されるプリント基板の支持について、プリント基板周壁の狭い範囲での保持としているため、プリント基板の部品実装に利用できる面積を十分に稼ぐことができる。
【００８３】
尚、上記の実施形態は回線ユニット内にプリント基板を２段に収納する場合を例にとるものであったが、収納するプリント基板の段数は盤本体の奥行き方向のスペースが確保できれば、更に３段、４段と増やすことができる。
【００８４】
また上記の実施形態は、増設したプリント基板をコネクタの直接接続により既に収納したプリント基板と接続しているが、コネクタケーブルを使用したプリント基板間の接続であってもよい。更に本発明は、その目的と利点を損なわない適宜の変形を含む。
【００８５】
【発明の効果】
以上説明してきたように本発明によれば、ユニット本体２個一対で回線ユニットを構成するフルタイプ及びユニット本体単体で構成するハーフタイプのいずれについても、ユニット本体は回路基板から完全に独立させて電気的な接続を一切不要な基板収納体としてのみ構成したことによって、ユニット本体と回路基板の間の電気接続のためのハンダ付けやコネクタ接続を不要とし、回路基板には全ての電気部品が実装されるので自動化が容易となり、回線ユニットの組立作業を簡単にしてコストダウンを図ることができる。
【００８６】
また回線ユニットは例えばフルタイプのユニット本体２個を一対として突き合わせた嵌合状態で１つの箱枠として形成されるため、回線ユニットの取付作業の際に、収納しているプリント基板に取付時の応力負荷が加わることはなく、プリント基板に加わる応力負荷によるハンダ剥離や部品損傷等を確実に防止できる。この点はユニット本体単体で使用したハーフタイプについても同様である。
【００８７】
更に、２個のユニット本体を突き合わせたフルタイプ及びユニット本体単体のハーフタイプのいずれにあっても、ユニット本体の基台部から見て前後及び上方に大きく開口しているため、ユニット上段に対するハーフサイズのプリント基板の着脱が盤本体に取り付けた状態であっても容易にでき、これによって回線ユニットに収納しているプリント基板の差し替えや増設が回線ユニットを取り外したり分解したりすることなく簡単にできる。
【図面の簡単な説明】
【図１】本発明の回線ユニットを使用する防災監視制御盤の説明図
【図２】図１の防災監視制御盤のブロック図
【図３】本発明の回線ユニットを取り付けた盤本体の説明図
【図４】図３の回線ユニットに対する防塵カバーの取付説明図
【図５】フルタイプで標準仕様となる本発明の回線ユニットの断面図
【図６】フルタイプで両側増設とした本発明の回線ユニットの断面図
【図７】フルタイプで片側増設とした本発明の回線ユニットの断面図
【図８】図５のフルタイプで標準仕様となる本発明の回線ユニットの斜視図
【図９】図８の組立分解図
【図１０】図８のユニット本体の組立説明図
【図１１】図１０の突き合せ部分の拡大図
【図１２】組み合わせたユニット本体を分解するための構造の説明図
【図１３】図１２のＡ部の拡大図
【図１４】図７のフルタイプで片側増設とした本発明の回線ユニットの斜視図
【図１５】図１４の組立分解図
【図１６】ハーフタイプで標準仕様となる本発明の回線ユニットの断面図
【図１７】ハーフタイプで増設した本発明の回線ユニットの断面図
【図１８】ハーフタイプで増設分のみとした本発明の回線ユニットの断面図
【図１９】図１６のハーフタイプで標準仕様となる本発明の回線ユニットの斜視図
【図２０】図１８のハーフタイプで増設分のみとした本発明の回線ユニットの斜視図
【図２１】端子金具をプリント基板にハンダ付けする従来の回線ユニットの説明図
【図２２】図２１の側面から見た部分断面図
【図２３】端子金具を端子用プリント基板にハンダ付け、更にプリント基板にコネクタ接続する従来の回線ユニットの説明図
【図２４】図２３の側面から見た部分断面図
【符号の説明】
１：防災監視制御盤
１ａ：扉
２：メインＣＰＵ
３ａ，３ｂ：回線ユニット
２２：盤本体
２４：回線ユニット（フルタイプ）
２４ａ：回線ユニット（ハーフタイプ）
２６：エンドカバー
２８：ユニットカバー
３０：ユニット間カバー
３２：ユニット本体
３４：プリント基板（フルタイプ標準用）
３６：端子部
３８：プリント基板（増設用）
４０：基台部
４２：：側面枠壁
４４：後部枠壁
４５：取付部
４６：テーパ縁
４８：カバー支持部
５２：基板挿入部
５２ａ：ガイド部
５２ｂ：受け部
５４：基板受け部
５５：段付穴
５９：支持片
６０，６２：係合片
６０ａ，６２ａ：突起
６０ｂ，６２ｂ：受け穴
６４：ロックピン
６６：分解用間隙
７０：雌コネクタ
７２：雄コネクタ
７５：半穴
７８：支持ピン
８０：ピン穴
【図１】
0003913922.tif 000002
【図２】
0003913922.tif 000003
【図３】
0003913922.tif 000004
【図４】
0003913922.tif 000005
【図５】
0003913922.tif 000006
【図６】
0003913922.tif 000007
【図７】
0003913922.tif 000008
【図８】
0003913922.tif 000009
【図９】
0003913922.tif 000010
【図１０】
0003913922.tif 000011
【図１１】
0003913922.tif 000012
【図１２】
0003913922.tif 000013
【図１３】
0003913922.tif 000014
【図１４】
0003913922.tif 000015
【図１５】
0003913922.tif 000016
【図１６】
0003913922.tif 000017
【図１７】
0003913922.tif 000018
【図１８】
0003913922.tif 000019
【図１９】
0003913922.tif 000020
【図２０】
0003913922.tif 000021
【図２１】
0003913922.tif 000022
【図２２】
0003913922.tif 000023
【図２３】
0003913922.tif 000024
【図２４】
0003913922.tif 000025